(57)【要約】      （修正有）【課題】オンラインキャラクターまたは人物を評価し、表示する方法と、人々に起きる問題点を解決できる環境を提供する。【解決手段】インターネット参加空間においてユーザＩＤを評価、表示する方法であって、（ａ）ユーザＡの端末にユーザＢに対する評価を行うことができるオンライン評価手段を提供するステップと、（ｂ）前記ユーザＡの端末から前記ユーザＢに対する評価情報を受信するステップと、（ｃ）前記受信した評価情報に基づいてユーザのＩＤを算出するステップと、（ｄ）前記算出したユーザのＩＤを表示するステップと、（ｅ）問題解決ができる、交渉・コミュニケーションしやすい環境を提供する。【選択図】図１
2011210220.tif 000002
【特許請求の範囲】
【請求項１】
インターネット参加空間においてユーザＩＤを評価、表示する方法であって、
（ａ）ユーザＡの端末にユーザＢに対する評価を行うことができるオンライン評価手段を提供するステップと、
（ｂ）前記ユーザＡの端末から前記ユーザＢに対する評価情報を受信するステップと、
（ｃ）前記受信した評価情報に基づいてユーザＢのＩＤを算出するステップと、
（ｄ）前記算出したユーザＢのＩＤを表示するステップと、
（ｅ）問題解決ができる、交渉・コミュニケーションしやすい環境を提供することと、
を含むことを特徴とするシステム。
【請求項２】
達成度、満足度、スピード、信用度、マナーを棒グラフで表示することと、
各問題点を有料と無料に区分すること、
を含むことを特徴とする請求項１に記載のシステム。
【請求項３】
前記（ｃ）ステップは、
（ｃ１）分数と整数で達成度、信用度、マナー、満足度、スピードを算出するステップと、
（ｃ２）分数の分母の大きさで表示明るさを算出するステップと、
（ｃ３）分数と整数の大きさで棒グラフの色を算出するステップと、
を含むことを特徴とする請求項２に記載のシステム。
【請求項４】
前記評価情報は、肯定的評価及び否定的評価を含むことを特徴とする請求項１に記載のシステム。
【請求項５】
前記評価情報は、肯定的評価が多い場合には前記ユーザのＩＤを青色で表示し、否定的評価が多い場合には前記ユーザのＩＤを赤色で表示し、中間の場合には前記ユーザＢのＩＤを黄色で表示することと、
分数が１／２より大きい場合には青色で表示し、分数が１／２より小さい場合には赤色で表示し、分数が１／２と等しい場合には黄色で表示することと、
分数の分母が大きいほど明るく表示すること、
を含むことを特徴とする請求項１に記載のシステム。
【請求項６】
前記評価情報の累積地を表示するステップを更に含むことを特徴とする請求項１に記載のシステム。
【請求項７】
前記（ｃ）ステップは、同じ評価者により入力された評価情報が、単位期間の間、限界回数を超える場合には、限界回数以下の評価情報のみに基づいてユーザＩＤを算出することを特徴とする請求項１に記載のシステム。
【発明の詳細な説明】
【技術分野】
【０００１】  本発明は、人々に起きる様々な悩み、問題などを解決するネットワークサービスを実現するシステムに関する。【０００２】  従来、問題点が起きたとき、我々人間は目上の人、先輩、経験豊富な人に聞いて解決しようとする。
また、今ではインターネットの普及により、インタネットウェブサイト上にで、ｇｏｏｇｌｅ、ｙａｈｏｏなどの検索エンジンを利用して問題点を解決できるようになった。
【先行技術文献】
【特許文献】
【０００３】
【特許文献１】特許公開２００７−５２７６０
【０００４】
【発明の概要】
【発明が解決しようとする課題】
【０００５】  以上に述べた問題解決方法は、あくまでも自分の回りにその問題を解決できる人がいる場合と、インターネット上にその問題に関する情報が載っている場合であった。【０００６】  しかし、必要なときに、必要な場所に、必要とされる人がいつもいられるのは難しい。また、調べても分らない、納得いかない時もある。
【課題を解決するための手段】
【０００７】  本発明は、上記のような従来の情報を検索して問題解決するだけではなく、人を探して、解決につなげる環境を提供する。【０００８】  だが、人によって、もしくは問題によっては、ただで解決できない場合もある。そこで、評価システムを使い、お互いの信頼関係を築いて、交渉・コミュニケーションしやすい環境を実現する。
【発明の効果】
【０００９】  人々の問題点が解決できることと、問題を解決した人は良い評価を受けることによって、インターネット上、または社会的名誉を得ることができる。また、金銭的な報酬も受けられることができるため、副業として活用されるのが期待できる。
【図面の簡単な説明】
【００１０】
【図１】  本発明の一実施の形態を示すブロック図。
【図２】  本発明の一実施の形態による報酬が成り立った場合のブロック図。
【図３】  本発明の一実施の形態による報酬が成り立たなかった場合のブロック図。
【発明を実施するための形態】
【００１１】  以下、本発明の実施の形態を図１〜図３に基づいて説明する。
【００１２】  図１は、本発明の一実施の形態を示すブロック図である。ウェブサイトサーバーＷはユーザＡの端末にユーザＢが掲示したコメントまたは情報などに対する評価を行うことができるオンライン評価手段を提供する（会員登録する必要がある）。
【００１３】  ユーザＡは端末Ａにおいて、オンライン評価手段（オンライン評価画面）を通じてユーザＢに対する評価情報を入力する。
【００１４】  ウェブサイトサーバーＷは、ユーザＡの端末から評価情報を受信し、受信した評価情報に基づいてユーザＢのＩＤを算出すると共にユーザＡの評価の入力をカウントする（評価入力のカウントはユーザＡに対するマナーの評価要因として算出する）。
【００１５】  その後、ウェブサイトサーバーＷは、算出されたユーザＢとユーザＡのＩＤを表示する。また、コメント、情報などはユーザたちが共有する。
【００１６】  以上は通常（無料サービス）の場合の流れである。
【００１７】  有料（有料サービス）の場合は、会員登録のときに、必要項目として住所と口座番号をはっきり入力する必要がある。住所は有料サービスを利用するときに使うパスワードを発行するために必要である。そして、口座番号は報酬を受けるときに必要、または、お金の返却のときに必要である。
【００１８】  以下図２を参照して、本発明の一実施の形態による報酬が成り立った場合について説明する。
【００１９】  ▲１▼ユーザＡはユーザＢに対して情報を要求するステップと、
▲２▼ユーザＢがユーザＡの依頼を承諾するステップと、
▲３▼ユーザＡが報酬金を一時的にウェブサイトサーバーＷに預けるステップと（報酬金はユーザＡに対する信用度の評価要因として算出する）、
▲４▼ユーザＢがユーザＡに対し求めている情報を提供するステップと、
▲５▼ユーザＡが入力したユーザＢに対する評価情報を受信し、ユーザＡの評価の入力をカウントするステップと（評価入力のカウントはユーザＡに対するマナーの評価要因として算出する）、
▲６▼ユーザＡに対する評価を表示するステップと（ユーザＡに対する信用度とマナー）、
▲７▼ユーザＢに対する評価を算出し、表示するステップと（ユーザＢに対する達成度、満足度、スピード）、
▲８▼ユーザＢに対し報酬を与えるステップと（指定した口座に振り込む）
を含むことを特徴とする流れである。
【００２０】  以下図３を参照して、本発明の一実施の形態による報酬が成り立たなかった場合について説明する。
【００２１】  ▲１▼ユーザＡはユーザＢに対して情報を要求するステップと、
▲２▼ユーザＢがユーザＡの依頼を承諾するステップと、
▲３▼ユーザＡが報酬金を一時的にウェブサイトサーバーＷに預けるステップと（報酬金はユーザＡに対する信用度の評価要因として使う）、
▲４▼ユーザＢがユーザＡに対し求めている情報を提供するステップと、
▲５▼ユーザＡが入力したユーザＢに対する評価情報を受信し、ユーザＡの評価の入力をカウントするステップと（評価入力のカウントはユーザＡに対するマナーの評価要因として算出する）、
▲６▼ユーザＡに対する評価を表示するステップと（ユーザＡに対する信用度とマナー）、
▲７▼ユーザＢに対する評価を算出し、表示するステップと（ユーザＢに対する達成度、満足度、スピード）、
▲８▼ユーザＡに対し一時的に預かった報酬金を返却するステップと（指定した口座に振り込む）
を含むことを特徴とする流れである。
【図１】
2011210220.tif 000003
【図２】
2011210220.tif 000004
【図３】
2011210220.tif 000005